(57)【要約】【課題】コンパクトで、昇降手段にほこり等が付きにくく、清掃が容易であるばかりでなく、使用者が座る座面の座り高さの設定が容易であり、また特定の昇降手段に負荷が掛りにくく、昇降手段の耐久性の向上が図れる電動昇降腰掛を提供する。【解決手段】昇降手段を設けた電動昇降腰掛において、昇降手段が、前記昇降体２を上下動させる第１昇降手段１１と、前記昇降体２と前記第１昇降手段１１とを上下動させる第２昇降手段１０とからなっている。【選択図】図２
2009072527.tif 000002
【特許請求の範囲】
【請求項１】
昇降手段によって上下動する昇降体と、該昇降体を支える昇降台とからなる電動昇降腰掛において、前記昇降手段は前記昇降体を上下動させる第１昇降手段と、前記昇降体と前記第１昇降手段とを上下動させる第２昇降手段とからなることを特徴とする電動昇降腰掛。
【請求項２】
前記第１昇降手段の駆動源を電池とし、該電池と前記第１昇降手段及び第２昇降手段を前記昇降体と昇降台とで形成した略密閉室に収納したことを特徴とする請求項１に記載の電動昇降腰掛。
【請求項３】
前記第２昇降手段は、前記第１昇降手段を介して前記昇降体と連結し、前記昇降体の回転により前記昇降体と前記第1昇降手段とを上下動させることを特徴とする請求項１又は２に記載の電動昇降腰掛。
【発明の詳細な説明】
【技術分野】
【０００１】
本発明は、高齢者、障害者等の立ち座りの補助に好適なように、昇降手段を設けた腰掛に関する。
【背景技術】
【０００２】
従来から高齢者、障害者等の立ち座りの補助に好適な腰掛として、昇降手段によって座面が上下動する腰掛が知られている。この種の腰掛は、例えばパンタグラフ構造の昇降手段を昇降台に設け、昇降体を上下動させるものであった。
【０００３】
しかし、この種の昇降手段は、大きな収納空間を必要とするため、昇降体からむき出しに設けられており、ほこり等が付きやすく、また、清掃の際のほこり取りが煩雑であった。そこで、これらの問題を解決する技術が考えられている。
【特許文献１】特開２００２−４６９８８号公報
【０００４】
特許文献１に記載の昇降装置は、電力で稼動する駆動体を可動構造体と本体構造体からなる構造体に内蔵し、その内蔵した駆動体によって可動構造体を上下動可能としている。この構成により、昇降装置をコンパクトで、ほこりが付きにくく、清掃しやすくしている。
【０００５】
また、座面の上下動をスイッチ操作により任意の位置に停止可能とし、使用者がより立ち座りのしやすい位置で停止させることができ、さらに前記座面の昇降範囲の上限もしくは下限を設定可能としたことで、微妙なスイッチ操作をせずに使用感の良い任意の位置に停止することができる。
【０００６】
しかし、上記特許文献１に記載の昇降装置は、駆動体を構造体に内蔵したことで、コンパクトで、ほこり等が付きにくく、清掃しやすくなったが、使用者がより立ち座りのしやすい位置である使用感の良い任意の位置への停止においては、一つの駆動体でもって、予め昇降装置の高さを使用者の座りやすい高さに設定した後、その高さを維持しながら、さらに立ち上がりの補助のために所定の位置まで使用者を持ち上げなければならないため、駆動体は常に作動状態を維持しなければならず、駆動体への負荷が大きくなり、駆動体の耐久性が悪くなるという問題が生じてしまう。
【発明の開示】
【発明が解決しようとする課題】
【０００７】
本発明は上記従来の問題に鑑みてなされ、コンパクトで、昇降手段にほこり等が付きにくく、清掃が容易であるばかりでなく、使用者が座る座面の座り高さの設定が容易であり、また特定の昇降手段に負荷が掛りにくく、昇降手段の耐久性の向上が図れる電動昇降腰掛を提供することを課題とする。
【課題を解決するための手段】
【０００８】
以下、本発明について説明する。なお、本発明の理解を容易にするために添付図面の参照番号を括弧書きにて付記するが、それにより本発明が図示の形態に限定されるものではない。
【０００９】
上記課題を解決するため、本発明は、昇降手段によって上下動する昇降体（２）と、該昇降体（２）を支える昇降台（５）とからなる電動昇降腰掛（１）において、前記昇降手段は前記昇降体（２）を上下動させる第１昇降手段（１１）と、前記昇降体（２）と前記第１昇降手段（１１）とを上下動させる第２昇降手段（１０）とからなる電動昇降腰掛（１）を採用する。
【００１０】
また、本発明に係る電動昇降腰掛（１）において、前記第１昇降手段（１１）の駆動源を電池（１６）とし、該電池（１６）と前記第１昇降手段（１１）及び第２昇降手段（１０）を前記昇降体（２）と昇降台（５）とで形成した略密閉室（１２）に収納したことを採用する。
【００１１】
また、本発明に係る電動昇降腰掛（１）において、前記第２昇降手段（１０）は、前記第１昇降手段（１１）を介して前記昇降体（２）と連結し、前記昇降体（２）の回転により前記昇降体（２）と前記第1昇降手段（１１）とを上下動させることを採用する。
【発明の効果】
【００１２】
本発明に係る電動昇降腰掛によれば、昇降手段が昇降体を上下動させる第１昇降手段と、前記昇降体と前記第１昇降手段とを上下動させる第２昇降手段とからなるので、使用者の座り高さの調整、設定のための上下動は第２昇降手段で行い、使用者の立ち上がり補助のための上下動は第１昇降手段で行うこととなり、上下動のための負荷は各昇降手段に分散され、特に第１昇降手段は立ち上がり補助のための上下動のみに限られるので負荷が軽減され、耐久性の向上が図れる。
【００１３】
また、前記第１昇降手段の駆動源を電池とし、該電池と前記第１昇降手段及び第２昇降手段を前記昇降体と昇降台とで形成した略密閉室に収納したので、コンパクトで、昇降手段にほこり等が付きにくく、清掃が容易である。
【００１４】
また、前記第２昇降手段は、前記第１昇降手段を介して前記昇降体と連結し、前記昇降体の回転により前記昇降体と前記第1昇降手段とを上下動させるようにしたので、使用者が座る座面の座り高さの調整、設定を容易に行なうことができる。
【発明を実施するための最良の形態】
【００１５】
以下、本発明の実施の形態について図１、図２を用いて説明する。図１は、本発明の実施の形態に係る電動昇降腰掛の外観斜視図である。図２は本発明の実施の形態に係る電動昇降腰掛の正面断面図である。
【００１６】
本発明の電動昇降腰掛は、使用者が座面の高さを容易に調整、設定でき、使用者が腰掛から立ち上がろうとするときに座面を上方に移動させ、使用者の立ち上がりを補助することができる。
【００１７】
図１、２に示すように、本発明の電動昇降腰掛１は、床面等の上に戴置される昇降台５と、該昇降台５の上部に位置し、前記昇降台５に対し回転及び上下動可能に設けられた昇降体２からなり、昇降台５と昇降体２との間には、昇降体２を上下に移動させるための第１昇降手段１１と第２昇降手段１０からなる昇降手段が収納されている。
【００１８】
上記昇降台５は、床面等と直接接するベース部６と、該ベース部６の上面に立設し前記昇降手段を内部に収納可能な大きさをした円筒からなる支持筒８を形成している。さらにベース部６の上面には上記支持筒８の中心軸と同軸上に立設し、内周面に雌ネジ７ａを刻設したネジ筒７が設けられている。このネジ筒７には、外周に雄ネジ９ａを形成した回転軸９が上下に作動可能に螺合している。
【００１９】
上記昇降体２は、上記昇降台５の支持筒８の外周面と回転可能に、また上下に摺動可能に係合する昇降筒３と、この昇降筒３の上端部を塞ぐとともに、使用者が座るための座となる座面４とで形成されている。
【００２０】
上記支持筒８の外周面と昇降筒３の内周面との間には、回転及び上下への摺動を円滑にするため、テープ状のすべり材２０が上記支持筒８の外周に鉢巻状に設けられている。すべり材２０としては、摺動性の良いフッ素樹脂を用いる。このように昇降台５の支持筒８と昇降体２の昇降筒３は、すべり材２０を介して略密閉室１２を形成しているので外部から塵が入りにくいばかりでなく、水も入りにくい構造となっている。
【００２１】
なお、すべり材２０としては、テープ材に換えて筒状体でもよいし、鋼球をリング状に配置しても良い。
【００２２】
また、上記昇降台５のベース部６には、通気口２２が設けられ、ほぼ気密状態に形成された略密閉室１２内への空気の出入りを可能とし、上記昇降体２の上下動が滑らかに行なわれるようにしている。さらに、この通気口２２の通気路２２ａは鉤状に形成されているので、外部からごみ、水等が浸入しにくくなっている。
【００２３】
また、上記座面４の後方には、背もたれ４１が設けられている。この背もたれ４１には、使用者が電動昇降腰掛１を持ち運びする時に、手を掛け易くするための開口４２を形成している。さらに座面４は、図１に示すように平面視にて、略楓の葉の形状をし、使用者が立ち上がる時に、座面４の前方に延びた部分に少なくともどちらか一方の手をついて、立ち上がり易くしている。
【００２４】
上記昇降台５の支持筒８と昇降体２の昇降筒３とで形成された略密閉室１２には、第１昇降手段であるアクチュエータ１１が配置されている。アクチュエータ１１の上部には伸縮部１１ａが上下動可能に備えられている。伸縮部１１ａは上記昇降筒３及び支持筒８の中心線上に配置され、その先端部には上部連結部１１ｂが形成され、上記昇降体２の座面４の裏面に形成された一対の立壁からなる連結部４ａと係合し、連結ピン１８により座面４と連結している。この構成により、昇降体２はアクチュエータ１１の伸縮部１１ａの上下動に連動して上下動を行い、使用者の立ち上がりを補助する。図２中、Ａに示す範囲は、昇降体２が後述する座り高さの調整がなされた後に、昇降体２が使用者の立ち上がりを補助するべく上下動する範囲を示し、本実施の形態では、１１ｃｍ〜１５ｃｍの範囲内で調整可能となっている。
【００２５】
上記アクチュエータ１１を駆動する駆動源は、充電式電池１６である。この充電式電池１６は上記略密閉室１２を形成する昇降台５の支持筒８内に収納され、リード線１５を介してアクチュエータ１１と接続している。なお、充電式電池１６は上記略密閉室１２を形成する昇降台５の支持筒８内に収納されているので、水から保護されているが、図２中、２点鎖線で示すように上記昇降体２の座面４の裏側に設けると、より防水の効果がある。
【００２６】
上記アクチュエータ１１を作動させるスイッチ１３は、ジョイステイック型で、座面４の裏側にあって昇降筒３の上部に設けられ、リード線１４にてアクチュエータ１１と接続されている。
【００２７】
さらに、上記略密閉室１２に設けられた上記アクチュエータ１１の下部には、第２昇降手段１０が配置されてる。この第２昇降手段１０は、ベース部６の上面にあって、このベース部６の上面に立設する支持筒８の中心線と同軸上に立設するネジ筒７と、このネジ筒７の内周面に刻設された雌ネジ７ａと螺合する雄ネジ９ａを外周に刻設した回転軸９から構成されている。この回転軸９の上部には凹溝からなる連結部９ｂが形成され、この連結部９ｂは、アクチュエータ１１の下部に一体に形成され凸部からなる下部連結部１１ｃと連結ピン２１により連結している。
【００２８】
上記回転軸９は、ネジ筒７と螺合しているため、回転することにより上下に作動する。そして、この回転軸９と連結するアクチュエータ１１も一体となって回転し、上下動する。また、アクチュエータ１１も昇降体２を構成する座面４と連結しているので、上記回転軸９が回転すると昇降体２も上下動することとなる。すなわち、昇降体２を構成する座面４を回転させると、アクチュエータ１１を介して回転軸９が回転するとともに上下に作動するので、座面４自体も上下動することとなる。そこで、使用者は座面４を回転させることで、予め座面４の高さ、すなわち、座り高さの調整、設定を容易に行なうことができる。図２中、Ｂに示す範囲は、座り高さ調整のために座面４が上下動する範囲を示す。本実施の形態では、約１０ｃｍの範囲内で調整可能となっている。
【００２９】
そして、上記座り高さの調整、設定が終われば、上記スイッチ１３を操作し、第１昇降手段であるアクチュエータ１１のみを作動させ昇降体２を上下動させ、使用者の立ち上がりを補助する。
【００３０】
以上、上記実施の形態では、本発明を電動昇降腰掛に採用したが、農作業者用腰掛、シャワーチェア等にも採用可能である。
【図面の簡単な説明】
【００３１】
【図１】本発明の実施の形態に係る電動昇降腰掛の外観斜視図。
【図２】本発明の実施の形態に係る電動昇降腰掛の正面断面図。
【符号の説明】
【００３２】
１    電動昇降腰掛
２    昇降体
３    昇降筒
４    座面
５    昇降台
８    支持筒
９    回転軸
１０  第２昇降手段
１１  アクチュエータ（第１昇降手段）
１２  略密閉室
【図１】
2009072527.tif 000003
【図２】
2009072527.tif 000004